(57)【要約】【課題】ユーザがコンテンツの画面を見るときに視認性が低下することなく、コピー禁止である旨がユーザに知らされることが可能な情報信号再生装置。【解決手段】コンテンツの情報６１又はコンテンツを特定するためのコンテンツ特定情報２２ａ〜２２ｆを再生する再生部２と、前記コンテンツがコピー禁止であるか否かを示すコピー禁止情報を出力するコピー禁止情報出力部９とを備え、前記コピー禁止情報出力部は、前記再生部により再生された前記コンテンツの情報又はコンテンツ特定情報の出力の表示が妨げられることがない態様で、前記コピー禁止情報を出力する。【選択図】        図３
2006129245.tif 000002
【特許請求の範囲】
【請求項１】
コンテンツの情報又はコンテンツを特定するためのコンテンツ特定情報を再生する再生部と、
前記コンテンツがコピー禁止であるか否かを示すコピー禁止情報を出力するコピー禁止情報出力部とを備え、
前記コピー禁止情報出力部は、前記再生部により再生された前記コンテンツの情報又はコンテンツ特定情報の出力の表示が妨げられることがない態様で、前記コピー禁止情報を出力する
ことを特徴とする情報信号再生装置。
【請求項２】
請求項１記載の情報信号再生装置において、
前記コピー禁止情報出力部は、前記コンテンツの情報又はコンテンツ特定情報の出力が表示される領域とは別に設けられた領域にて、前記コピー禁止情報を表示する
ことを特徴とする情報信号再生装置。
【請求項３】
請求項１記載の情報信号再生装置において、
前記コピー禁止情報出力部は、前記コンテンツの情報又はコンテンツ特定情報の出力が表示されるときの表示の仕方を変更することによって、前記コピー禁止情報を出力する
ことを特徴とする情報信号再生装置。
【請求項４】
請求項３記載の情報信号再生装置において、
前記コンテンツの情報又はコンテンツ特定情報の出力が表示されるときの表示の仕方の変更には、前記コンテンツの情報又はコンテンツ特定情報の出力が表示されるときの輝度の変更、又は、前記コンテンツの情報又はコンテンツ特定情報の出力が表示されるときの点滅状態の変更が含まれる
ことを特徴とする情報信号再生装置。
【請求項５】
請求項１記載の情報信号再生装置において、
前記コピー禁止情報出力部は、音声信号にて、前記コピー禁止情報を出力する
ことを特徴とする情報信号再生装置。
【請求項６】
請求項１から５のいずれか１項に記載の情報信号再生装置において、
前記コピー禁止情報出力部は、前記コンテンツの一部のみがコピー禁止であるのか、又は前記コンテンツの全体がコピー禁止であるのかによって、異なる態様でコピー禁止情報を出力する
ことを特徴とする情報信号再生装置。
【請求項７】
請求項１から６のいずれか１項に記載の情報信号再生装置において、
更に、
前記情報信号再生装置の筐体に設けられた表示部を備え、
前記表示部には、前記コンテンツの情報が再生されているときの再生時間を含む前記再生されたコンテンツの情報に関するサブ情報が表示され、
前記コピー禁止情報出力部は、前記表示部において、前記サブ情報の表示が妨げられることが無い態様で、前記コピー禁止情報を出力する
ことを特徴とする情報信号再生装置。
【請求項８】
請求項７記載の情報信号再生装置において、
前記コピー禁止情報出力部は、前記表示部において、前記サブ情報が表示される領域とは別に設けられた領域にて、前記コピー禁止情報を表示する
ことを特徴とする情報信号再生装置。
【請求項９】
請求項７記載の情報信号再生装置において、
前記コピー禁止情報出力部は、前記表示部において、前記サブ情報が表示されるときの表示の仕方を変更することによって、前記コピー禁止情報を出力する
ことを特徴とする情報信号再生装置。
【請求項１０】
請求項９記載の情報信号再生装置において、
前記サブ情報が表示されるときの表示の仕方の変更には、前記サブ情報が表示されるときの輝度の変更、又は、前記サブ情報が表示されるときの点滅状態の変更が含まれる
ことを特徴とする情報信号再生装置。
【請求項１１】
（ａ）  コンテンツの情報又はコンテンツを特定するためのコンテンツ特定情報を再生するステップと、
（ｂ）  前記コンテンツがコピー禁止であるか否かを示すコピー禁止情報を出力するステップとを備え、
前記（ｂ）のステップは、再生された前記コンテンツの情報又はコンテンツ特定情報の出力の表示が妨げられることがない態様で、前記コピー禁止情報を出力することを含む
ことを特徴とする情報信号再生方法。
【請求項１２】
（ａ）  コンテンツの情報又はコンテンツを特定するためのコンテンツ特定情報を再生するステップと、
（ｂ）  前記コンテンツがコピー禁止であるか否かを示すコピー禁止情報を出力するステップとをコンピュータに実行させるためのプログラムであって、
前記（ｂ）のステップは、再生された前記コンテンツの情報又はコンテンツ特定情報の出力の表示が妨げられることがない態様で、前記コピー禁止情報を出力することを含む
ことを特徴とするプログラム。
【発明の詳細な説明】
【技術分野】
【０００１】
本発明は、情報信号再生装置、情報信号再生方法及びプログラムに関し、特に、コンテンツのコピーが禁止であるか否かを示す情報を好適に表示する情報信号再生装置、情報信号再生方法及びプログラムに関する。
【背景技術】
【０００２】
デジタルの情報信号は、信号の劣化を少なく複製を作ることができるため、デジタル情報信号には、コピー制御情報を含めておき、その情報に基づいて、コンテンツのコピーを禁止することが行われている。コピーが禁止されているデジタル情報信号のコンテンツがコピーされようとする際には、コピー制御情報に基づいて、そのコンテンツがコピー禁止である旨がユーザに対して表示される。
【０００３】
特開平１０−２５７４２８号公報には、再生された情報信号がコピー禁止であることを示す画像情報を選択出力したり、情報信号記録再生装置の筐体の表示パネル等に再生された情報信号がコピー禁止であることを示す表示を行ったりするようにしてユーザにその旨を知らせても良い旨が記載されている。
【０００４】
【特許文献１】特開平１０−２５７４２８号公報
【発明の開示】
【発明が解決しようとする課題】
【０００５】
従来、コピーが禁止されているコンテンツに関しては、再生された画像上にコピー禁止を示すマークを表示して、コピー禁止である旨をユーザに知らせることが行われている。また、再生装置の筐体の表示パネルには、再生中のコンテンツに関するサブ情報（コンテンツの番号や再生時間などの情報が含まれる）が表示されるが、そのサブ情報の上に重ねて、コピー禁止である表示がなされる場合がある。
【０００６】
上記のように、再生された画像上にコピー禁止マークが表示されると、ユーザがコンテンツの画面を見るときにその一部が隠されることになり、コンテンツ画像の視認性が低下する。同様に、再生装置の筐体の表示パネルに表示されたサブ情報の上にコピー禁止である表示がなされた場合にも、ユーザがサブ情報を見るときの視認性が低下する。
【０００７】
ユーザがコンテンツの画面を見るときに視認性が低下することなく、コピー禁止である旨がユーザに知らされることが望まれている。
また、再生装置の筐体の表示パネルに表示されたサブ情報をユーザが見るときに、その視認性が低下することなく、コピー禁止である旨がユーザに知らされることが望まれている。
【０００８】
本発明の目的の一つは、ユーザがコンテンツの画面を見るときに視認性が低下することなく、コピー禁止である旨がユーザに知らされることが可能な情報信号再生装置、情報信号再生方法及びプログラムを提供することである。
本発明の他の目的の一つは、更に、再生装置の筐体の表示パネルに表示されたサブ情報をユーザが見るときに、その視認性が低下することなく、コピー禁止である旨がユーザに知らされることが可能な情報信号再生装置を提供することである。
【課題を解決するための手段】
【０００９】
請求項１に記載の発明は、コンテンツの情報又はコンテンツを特定するためのコンテンツ特定情報を再生する再生部と、前記コンテンツがコピー禁止であるか否かを示すコピー禁止情報を出力するコピー禁止情報出力部とを備え、前記コピー禁止情報出力部は、前記再生部により再生された前記コンテンツの情報又はコンテンツ特定情報の出力の表示が妨げられることがない態様で、前記コピー禁止情報を出力することを特徴とする。
【００１０】
請求項１１記載の発明は、（ａ）  コンテンツの情報又はコンテンツを特定するためのコンテンツ特定情報を再生するステップと、（ｂ）  前記コンテンツがコピー禁止であるか否かを示すコピー禁止情報を出力するステップとを備え、前記（ｂ）のステップは、再生された前記コンテンツの情報又はコンテンツ特定情報の出力の表示が妨げられることがない態様で、前記コピー禁止情報を出力することを含むことを特徴とする。
【００１１】
請求項１２記載の発明は、（ａ）  コンテンツの情報又はコンテンツを特定するためのコンテンツ特定情報を再生するステップと、（ｂ）  前記コンテンツがコピー禁止であるか否かを示すコピー禁止情報を出力するステップとをコンピュータに実行させるためのプログラムであって、前記（ｂ）のステップは、再生された前記コンテンツの情報又はコンテンツ特定情報の出力の表示が妨げられることがない態様で、前記コピー禁止情報を出力することを含むことを特徴とする。
【発明を実施するための最良の形態】
【００１２】
以下、本発明の情報信号再生装置の一実施形態につき図面を参照しつつ詳細に説明する。
【００１３】
（第１実施形態）
図１を参照して、本発明の情報信号再生装置の第１実施形態について説明する。
【００１４】
本実施形態の情報信号再生装置は、前提として、以下の構成が必要とされる。即ち、ＭＰＥＧ２−トランスポートストリームを記録媒体に記録するとともに、そのトランスポートストリームからコピー制御情報を取得する記録手段と、記録媒体からコピー制御情報を解析しながらトランスポートストリームを再生する再生手段と、再生する映像画面にＧＵＩを表示させる表示手段を有している。また、再生時の音声とビープ音をミキシングする音声出力手段を有している。さらに、ＦＬ管に対して、コピー禁止情報専用表示セグメントが設けられている。また、制御情報として、コピー制御情報をもつストリームに対して、情報ファイルを別ファイルとして生成し、その情報ファイルの一部には、コピー制御情報が含まれている。
【００１５】
図１を参照して詳細に説明する。本実施形態の情報信号再生装置は、情報信号記録再生装置の一部として構成される。図１は、本実施形態の情報信号再生装置を含む情報信号記録再生装置の全体ブロック図である。図１に示すように、情報信号記録再生装置１００は、デマルチプレクサ１と、プレイバックモジュール２と、レコードモジュール３と、ＩＤＥコントローラ４と、ＨＤＤ５と、リムーバルドライブ６と、ＭＰＥＧデコーダ７と、ビデオコンポジッター８と、グラフィックコントローラ９と、オーディオミキサー１０と、オーディオコントローラ１１と、ＣＰＵ１２と、ＦＬコントローラ１３と、情報ファイル生成部２０を備え、ＣＰＵ１２がこれらの構成要素全体を制御する。
【００１６】
本実施形態の情報信号再生装置は、情報信号記録再生装置１００のうち、レコードモジュール３と、ＨＤＤ５と、リムーバルドライブ６と、情報ファイル生成部２０を除いた部分に相当する。
【００１７】
情報信号記録再生装置１００では、ＭＰＥＧ２−トランスポートストリームの記録及び再生が行われる。ＭＰＥＧ２−トランスポートストリームには、コンテンツのコピー禁止を示すコピー制御情報が含まれている。
【００１８】
情報信号記録再生装置１００において、ＭＰＥＧ２−トランスポートストリームが記録される際には、チューナ（図示せず）で受信され、デマルチプレクサ１を経たストリームは、レコードモジュール３によって、ＨＤＤ５又はリムーバルドライブ６の光ディスクに書き込まれる。その際に、トランスポートストリームのデータはレコードモジュール３が管理しているバッファに格納され、ＩＤＥコントローラ４は、上記バッファに格納されたデータに関して、コピー制御情報に基づいて、コピー禁止か否かを解析し、情報ファイル生成部２０がコンテンツとは別ファイルとして情報ファイルを生成する。コンテンツと情報ファイルの両方がＨＤＤ５又はリムーバルドライブ６の光ディスクに記録される。上記のようにして、ＨＤＤ５又は光ディスク（６）には、複数のファイルが記録される。
【００１９】
図２−１は、１つのコンテンツに対応するＭＰＥＧ２−トランスポートストリームを示している。ＭＰＥＧ２−トランスポートストリームは、複数のパケットによって構成され、各パケットのパケットヘッダにコピー制御情報が含まれている。図２−１の例では、１つのコンテンツの中に、コピー禁止の部分とコピーが許可される部分が存在している。また、図示はしないが１つのコンテンツの全体に関して、コピーが禁止されているものや、反対にコピーが許可されているものがある。
【００２０】
図２−１に示すように、ストリームの符号Ｂから符号Ｃで示す部分（ブロック１）と、符号Ｄから符号Ｅで示す部分（ブロック３）は、コピーが禁止されている。この場合、情報ファイル生成部２０は、図２−２及び図２−３に示すような情報ファイルを生成する。情報ファイルには、１つのコンテンツに対応するストリームに含まれるブロック毎に、ブロックの範囲を示すスタートポイント及びエンドポイントを示す情報と、そのブロックがコピー禁止であるか否かを示す情報（コピーステータス）が含まれる。
【００２１】
図１に示すように、情報信号記録再生装置１００（情報信号再生装置）において、ＨＤＤ５又は光ディスク（６）に記録されたストリームが再生される際には、プレイバックモジュール２によってストリームが読み出された後、デマルチプレクサ１によって多重分離化され、ＭＰＥＧデコーダ７によってデコードされ、映像信号及び音声信号は、それぞれ、ＴＶ装置（図示せず）に出力される。
【００２２】
ＨＤＤ５又は光ディスク（６）に記録されたストリームの情報のコピーをする機能がユーザによって選択されたときには、ＣＰＵ１２がビデオコンポジッター８及びグラフィックコントローラ９を制御して、例えば、図４に示すように、ファイルコピーメニューの画面において、タイトル画面２２ｃ、２２ｅを構成する映像信号の輝度を低下させて表示する。
【００２３】
図３及び図４を参照して、ファイルコピーメニューが表示されるときの動作について説明する。図３の各動作は、ＣＰＵ１２がプログラムを実行することにより行われる。図４は、ＴＶ画面４０に表示されたファイルコピーメニュー２１を示している。
【００２４】
ファイルコピーメニュー２１では、コピー元の記録媒体（例えば、ＨＤＤ５）に記録された複数のタイトル（コンテンツ）のそれぞれを識別するための画面（タイトル画面）２２ａ〜２２ｆ（コンテンツ特定情報）が６つサムネイル表示されている。
【００２５】
まず、ステップＳ１において、ユーザは、例えば、ＨＤＤ５に記録されたコンテンツのファイルを光ディスク（６）にコピーしようとする際には、リモコン等を操作して、ファイルコピー機能を選択する。
【００２６】
次に、ステップＳ２において、上記ステップＳ１のユーザからのファイルコピーを選択する旨の信号に応答して、ＣＰＵ１２は、ファイルコピーメニューに表示するタイトルがあるか否かを判定する。その判定の結果、表示するタイトルが有ると判定された場合には、ステップＳ３に進み、一方、表示するタイトルが無いと判定された場合には、本制御フローは終了する。
【００２７】
ステップＳ３では、１つの画面内に表示できるタイトル数（図４の例では６）を超えたか否かが判定される。その判定の結果、超えていない場合には、ステップＳ４に進み、そうでない場合には、本制御フローは終了する。
【００２８】
ステップＳ４では、１つのタイトルが読み出され、そのタイトルのコピー制御情報が参照されて、そのタイトルの少なくとも一部にコピー禁止の領域が含まれているか否かが判定される。その判定の結果、１つのタイトルの全体がコピー禁止でない場合には、そのタイトル画面がそのまま（通常時の輝度で）サムネイル表示される（ステップＳ６）。
【００２９】
一方、ステップＳ４の判定の結果、１つのタイトルの全体がコピー禁止である場合には、通常時に比べて例えば５０％の輝度に設定され（ステップＳ５）、また、１つのタイトルの一部にのみコピー禁止領域が含まれている場合には、例えば通常時に比べて例えば８０％の輝度に設定された上で（ステップＳ５）、そのタイトル画面がサムネイル表示される（ステップＳ６）。次いで、次のタイトルに関して、再度ステップＳ２以降の動作が繰り返される（ステップＳ７）。
【００３０】
図４において、符号２２ａ、２２ｂ、２２ｄ、２２ｆのタイトル画面は通常時の輝度で表示されている。符号２２ｃのタイトル画面は８０％の輝度で表示され、符号２２ｅのタイトル画面は５０％の輝度で表示されている。本実施形態では、サムネイル表示された複数のタイトル画面において、タイトル画面の輝度に違いを出すことで、コピー禁止のタイトルを通知する構成を採用しているので、ユーザは、どのタイトルがコピー禁止であるかを直感的に判断することができ、また、コピー禁止であることを見逃すことがない。
【００３１】
本実施形態によれば、タイトル画面２２ｃ、２２ｅの輝度を落とすことで、コピー禁止のタイトルであることをユーザに分かり易く通知する。この場合、タイトル画面２２ｃ、２２ｅの上には、コピー禁止であるか否かを示す情報の表示が重ねられていない。即ち、例えば本実施形態のタイトル画面に代表されるように、コピーの対象となるファイルの画像又はファイルを特定するための情報（ファイルの名称や記録日時や記録時間などが含まれる）が表示されているときに、そのファイルの画像又はファイルを特定するための情報の表示が隠されたり、その情報が欠落することが無い状態で、ファイルがコピー禁止であるか否かが通知される。
【００３２】
これにより、ユーザによるタイトル画面（コピーの対象となるファイルの画像又はファイルを特定するための情報）の視認が妨げられることが抑制されつつ、コピー禁止であるか否かを通知することができる。
【００３３】
なお、上記に代えて、タイトル画面２２ａ〜２２ｆの外側にタイトル画面２２ａ〜２２ｆとは別の領域としても受けた枠部分（図示せず）を点滅させることにより、コピーが禁止されていることを示してもよい。または、コピーが禁止されているタイトル画面２２ａ〜２２ｆの番号を音声で出力することによって、そのタイトルのコピーが禁止されていることを示してもよい。
【００３４】
また、本実施形態によれば、タイトルの全体がコピー禁止であるのか、それともタイトルの一部のみがコピー禁止であるのかを、輝度の違いによってユーザに通知することができる。また、上記枠部分の点滅のピッチや音声を変更することにより、タイトルの全体がコピー禁止であるのか、それともタイトルの一部のみがコピー禁止であるのかを、ユーザに通知することができる。
【００３５】
（第２実施形態）
次に、図５から図７を参照して、第２実施形態について説明する。
第２実施形態において、上記第１実施形態と共通する内容についての説明は省略する。
【００３６】
本実施形態では、ユーザによりコンテンツファイルの一部の範囲が指定され、その指定された範囲のコピーが行われる場合について説明する。ここで、図２−１〜図２−３に示したように、１つのコンテンツに対応するストリーム内で部分的にコピーが禁止されている場合がある。
【００３７】
この場合には、図６に示すように、コピーが禁止されている部分の再生が行われているときに、再生中の画面６１の表示枠６２を点滅させることにより、再生中の画像６１がコピー禁止であることをユーザに通知する。即ち、ＴＶ画面４０上に表示された情報信号記録再生装置１００の編集画面６３において、再生中の画面６１自体は、全く隠すことなく、その再生中の画面６１の外側に設けられた、画面６１とは別の領域である表示枠６２を点滅させることにより、再生中の画像６１がコピー禁止であることをユーザに通知する。
【００３８】
これにより、ユーザによるオリジナルのコンテンツ情報の視認が妨げられる（邪魔される）ことなく、コピー禁止領域をユーザに通知することができる。この場合、コピー禁止領域が再生中には、再生画面６１の輝度を低下させることや、ビープ音を発生されることによっても、上記と同様の効果が得られる。
【００３９】
また、図７に示すように、情報信号記録再生装置１００の筐体の表示部（ＦＬ管）７０に、コピー禁止か否かを示す情報を表示するための専用のセグメント（領域）７１を設け、コピーが禁止されている部分の再生がＴＶ画面（図示せず）で行われているときに、表示部（ＦＬ管）７０のセグメント７１に、コピーが禁止された部分であることを示す情報（図７では「ＮＯＴ  ＣＯＰＹ」の文字）を表示する。
【００４０】
図７において、符号７２で示す「２」の数字は、再生中のタイトルを特定するための番号であり、符号７３で示す「０：１５．３０」は、そのタイトルの再生時間が１５分３０秒であることを示している。上記のように、コピー禁止か否かを示す情報は、再生中のコンテンツに関するサブ情報である、コンテンツの番号７２や再生時間７３の情報のユーザによる視認が妨げられないように、サブ情報の表示領域とは別の専用の領域７１に表示される。これにより、ユーザによる、再生中のタイトルに関するサブ情報の視認が妨げられることなく、コピー禁止領域であることをユーザに通知することができる。
【００４１】
図５を参照して、第２実施形態の動作について説明する。
【００４２】
上記のように、ファイルのうちユーザによって指定された一部の領域についてファイルコピーが行われる場合がある。図５は、ファイルコピーの対象となる領域がユーザによって指定されるに際して、コピーが禁止されている領域をユーザに通知するときの動作を示している。その動作では、そのタイトルの再生中に、コピー禁止の領域が再生されているときには、ユーザに、再生中の領域はコピー禁止領域であることを通知するが、その場合に、再生中の画面の視認が妨げられることがないような態様で、コピー禁止領域であることが通知される。以下、図５を参照して説明する。
【００４３】
まず、ステップＳ１において、ユーザは、例えばＨＤＤ５に記録されたコンテンツのファイルの一部を光ディスク（６）にコピーしようとする際には、リモコン等を操作して、ファイルコピーの領域指定の機能を選択する。
【００４４】
次に、ステップＳ２において、上記ステップＳ１のユーザからのファイルコピーの領域指定を選択する旨の信号に応答して、ＣＰＵ１２は、ビデオコンポジッター８及びグラフィックコントローラ９を制御して、図６に示すように、ＴＶ画面４０に、ファイルコピーの領域を指定するための編集画面６３を表示する。
【００４５】
次に、ステップＳ３では、ユーザがファイルコピーの領域を図６のＡ点からＢ点として指定するに際して、その指定する領域を確定できるようにするために、タイトルが再生画面６１において再生される。このときに、上記例ではＨＤＤ５に記録されたタイトルのうち、ユーザによって指定されたＡ点から再生が開始される。
【００４６】
ユーザによってＢ点が指定されている場合には、そのＢ点（再生終了）まで、タイトルの再生が連続的に行われる（ステップＳ４、Ｓ１０）。Ｂ点が指定されていない場合には、タイトルの最後まで再生が行われる（ステップＳ４、Ｓ１０）。
【００４７】
このとき、上記例ではＨＤＤ５に記録されたタイトルのデータをプレイバックモジュール２がリードするとともに（ステップＳ５）、そのリードを行うごとにストリーム自体を確認して、そのストリームのうち、コピー禁止領域が再生されるときには（ステップＳ６−Ｙ）、ＣＰＵ１２がビデオコンポジッター８及びグラフィックコントローラ９を制御して、再生画面６１の外側の枠６２を点滅させる（ステップＳ７）。または、再生画面６１の輝度を落として再生する（ステップＳ７）。
【００４８】
上記ステップＳ７に代えて、又はステップＳ７とともに、ＣＰＵ１２がオーディオミキサー１０と、オーディオコントローラ１１を制御して、ビープ音等の音声をミキシングして鳴らすことができる。また、上記ステップＳ７に代えて、又はステップＳ７とともに、コピー禁止領域が再生されるときには、図７に示すように、ＣＰＵ１２がＦＬコントローラ１３を制御して、ＦＬ管７０において再生中のタイトルに関するサブ情報の表示領域とは別の専用領域にコピー禁止であることを示す情報を表示させることができる。または、ＣＰＵ１２がＦＬコントローラ１３を制御して、ＦＬ管７０において再生中のタイトルに関するサブ情報の表示自体を点滅させたり、輝度を変更させることにより、コピー禁止であることを示すことができる。
【００４９】
上記第１〜第２実施形態は、コピー制御情報を含んだコンテンツを取り扱う製品全般に適用可能であり、例えば、ＤＶＤ再生装置、Ｂｌｕ−ｒａｙ再生装置、ＨＤＤ再生装置、ＶＴＲなどに適用可能である。
【００５０】
上記実施形態では、以下の項が開示される。
【００５１】
（項１）
コンテンツの情報６１又はコンテンツを特定するためのコンテンツ特定情報２２ａ〜２２ｆを再生する再生部２と、前記コンテンツがコピー禁止であるか否かを示すコピー禁止情報を出力するコピー禁止情報出力部９とを備え、前記コピー禁止情報出力部９は、前記再生部により再生された前記コンテンツの情報６１又はコンテンツ特定情報２２ａ〜２２ｆの出力の表示が妨げられることがない態様で、前記コピー禁止情報を出力することを特徴とする情報信号再生装置。
【００５２】
項１によれば、コンテンツの情報６１又はコンテンツを特定するためのコンテンツ特定情報２２ａ〜２２ｆの上には、コピー禁止情報の表示が重ねられることがなく、コンテンツの情報６１又はコンテンツを特定するためのコンテンツ特定情報２２ａ〜２２ｆが欠落したり、覆われたり（隠されたり）することがないので、ユーザは、再生されたコンテンツの情報６１又はコンテンツを特定するためのコンテンツ特定情報２２ａ〜２２ｆを見るときの視認性が低下することが無く、コピー禁止であるか否かを知ることができる。
【００５３】
（項２）
（ａ）  コンテンツの情報又はコンテンツを特定するためのコンテンツ特定情報を再生するステップと、（ｂ）  前記コンテンツがコピー禁止であるか否かを示すコピー禁止情報を出力するステップとを備え、前記（ｂ）のステップは、再生された前記コンテンツの情報又はコンテンツ特定情報の出力の表示が妨げられることがない態様で、前記コピー禁止情報を出力することを含むことを特徴とする情報信号再生方法。
【００５４】
（項３）
（ａ）  コンテンツの情報又はコンテンツを特定するためのコンテンツ特定情報を再生するステップと、（ｂ）  前記コンテンツがコピー禁止であるか否かを示すコピー禁止情報を出力するステップとをコンピュータに実行させるためのプログラムであって、前記（ｂ）のステップは、再生された前記コンテンツの情報又はコンテンツ特定情報の出力の表示が妨げられることがない態様で、前記コピー禁止情報を出力することを含むことを特徴とするプログラム。
【００５５】
項２又は項３によれば、上記項１と同様に、ユーザは、再生されたコンテンツの情報６１又はコンテンツを特定するためのコンテンツ特定情報２２ａ〜２２ｆを見るときの視認性が低下することが無く、コピー禁止であるか否かを知ることができる。
【図面の簡単な説明】
【００５６】
【図１】本発明の情報信号再生装置の第１実施形態が適用される情報信号記録再生装置の全体ブロック図である。
【図２−１】本発明の情報信号再生装置の第１実施形態で取り扱われるストリームのデータ構成を模式的に示した図である。
【図２−２】本発明の情報信号再生装置の第１実施形態で取り扱われる情報ファイルの一部を示す図である。
【図２−３】図２−１のストリームについての情報ファイルの一部を示す図である。
【図３】本発明の情報信号再生装置の第１実施形態におけるファイルコピーメニューの表示の動作についてのフローチャートである。
【図４】本発明の情報信号再生装置の第１実施形態におけるファイルコピーメニューの表示例を示す図である。
【図５】本発明の情報信号再生装置の第２実施形態におけるファイルコピーの領域指定時のコピー禁止通知の動作についてのフローチャートである。
【図６】本発明の情報信号再生装置の第２実施形態における編集画面におけるコピー禁止通知の表示例を示す図である。
【図７】本発明の情報信号再生装置の第２実施形態における装置筐体の表示部におけるコピー禁止通知の表示例を示す図である。
【符号の説明】
【００５７】
１  デマルチプレクサ
２  プレイバックモジュール
３  レコードモジュール
４  ＩＤＥコントローラ
５  ＨＤＤ
６  リムーバルドライブ
７  ＭＰＥＧデコーダ
８  ビデオコンポジッター
９  グラフィックコントローラ
１０  オーディオミキサー
１１  オーディオコントローラ
１２  ＣＰＵ
１３  ＦＬコントローラ
２０  情報ファイル生成部
１００  情報信号記録再生装置
【図１】
2006129245.tif 000003
【図２−１】
2006129245.tif 000004
【図２−２】
2006129245.tif 000005
【図２−３】
2006129245.tif 000006
【図３】
2006129245.tif 000007
【図４】
2006129245.tif 000008
【図５】
2006129245.tif 000009
【図６】
2006129245.tif 000010
【図７】
2006129245.tif 000011